(57)【特許請求の範囲】
【請求項１】
握り部を有し、ドラム缶に着脱自在に配設される架台と、
該架台に設けられ、前記ドラム缶内の燃料油を車輌に給油する給油機構とを備え、
前記給油機構は、
前記ドラム缶内の燃料油を汲み上げる自動又は手動のポンプと、
該ポンプで汲み上げられた燃料油が収容され、計量値を視認可能な計量升と、
該計量升から溢れた燃料油を前記ドラム缶へ戻す戻り部とを有することを特徴とする可搬式給油装置。
【発明の詳細な説明】
【技術分野】
【０００１】
本発明は、可搬式給油装置に関し、特に、ドラム缶から直接車輌に燃料油を供給する可搬式給油装置に関する。
【背景技術】
【０００２】
一般に、燃料油を供給する給油所では、複数の地下タンクが埋設され、これらの地下タンク内にガソリン、軽油、灯油等の燃料油を貯留している。地下タンクには給油管が設けられ、上端のマンホールピットで横引き配管に接続され、この横引き配管がマンホールピットより導出して給油所の各給油装置に接続される。また、ハウジング本体内に配設される配管途中に設けられた給油機構を介し、先端に設けた給油ノズルによって車輌へ燃料油が供給される。
【０００３】
しかし、地震等の災害が生じた場合には、前記給油管や横引き配管に大きな力が作用して亀裂が生じて給油に支障を来したり、さらに、停電時には給油装置による給油が不可能となる。
【０００４】
そこで、特許文献１には、軽油等を自家用として給油するためのタンクが開示され、このようなタンク等を用い、車輌へ燃料油を給油する場合に、ドラム缶よりホースを挿入して直接車輌へ給油することも考えられる。
【先行技術文献】
【特許文献】
【０００５】
【特許文献１】特開平８−９１４９３号公報
【発明の概要】
【発明が解決しようとする課題】
【０００６】
上記特許文献１に記載の給油タンクは、タンク内の燃料油をホースを介して直接車輌に給油することができて地震等の災害時に有効に機能するが、ドラム缶を加工して常設の給油機構を設けるのは、特注となり、給油タンクの製造コストが高くなると共に、ドラム缶が破損したり、ドラム缶内の燃料油が劣化した場合には、給油することができないという問題がある。
【０００７】
また、上記給油タンクは、計量機構が存在しないため、緊急車両等へ給油するには問題ないが、一般の車両等への燃料油の販売をすることができないという問題もあった。
【０００８】
そこで、本発明は、上記従来の給油タンク等における問題点に鑑みてなされたものであって、ドラム缶を加工する必要がないため、製造コストを低く抑えることができると共に、ドラム缶が破損したり、ドラム缶内の燃料油が劣化した場合でも容易に対応することができ、一般車両等へ燃料油を販売することも可能な給油装置を提供することを目的とする。
【課題を解決するための手段】
【０００９】
上記目的を達成するため、本発明は、可搬式給油装置であって、握り部を有し、ドラム缶に着脱自在に配設される架台と、該架台に設けられ、前記ドラム缶内の燃料油を車輌に給油する給油機構とを備え、前記給油機構は、前記ドラム缶内の燃料油を汲み上げる自動又は手動のポンプと、該ポンプで汲み上げられた燃料油が収容され、計量値を視認可能な計量升と、該計量升から溢れた燃料油を前記ドラム缶へ戻す戻り部とを有することを特徴とする。
【００１０】
そして、本発明によれば、握り部を有する架台がドラム缶に着脱自在に配設され、架台に給油機構が設けられるため、ドラム缶を加工する必要がなく、製造コストを低く抑えることができる。また、ドラム缶が破損したり、ドラム缶内の燃料油が劣化した場合でも、別のドラム缶に給油機構を移し換えることで、バイク、自動車等の車輌への給油を継続することができる。
【００１１】
また、前記給油機構は、前記ドラム缶内の燃料油を汲み上げる自動又は手動のポンプと、該ポンプで汲み上げられた燃料油が収容され、計量値を視認可能な計量升と、該計量升から溢れた燃料油を前記ドラム缶へ戻す戻り部とを有するため、燃料油の計り売りが可能になり、一般車両等へ燃料油を販売することも可能になると共に、予め計量升に燃料油を入れておくことで、次回の給油に関わる時間を短縮することができる。また、ポンプを手動とすることで、電力を使用しないため、災害時でも給油を継続することができる。さらに、計量升から燃料油が溢れた場合でも、溢れた燃料油を戻り部からドラム缶へ戻すことができる。
【発明の効果】
【００１２】
以上のように、本発明によれば、製造コストを低く抑えることができ、ドラム缶が破損したり、ドラム缶内の燃料油が劣化した場合でも容易に対応することも可能で、一般車両等へ燃料油を販売することができ、さらに地震等の災害時には、道路が寸断されたりして給油所へ辿り付けない地域で燃料油の定量供給を行うことも可能な給油装置を提供することができる。
【図面の簡単な説明】
【００１３】
【図１】本発明にかかる可搬式給油装置の一実施の形態を示す図であって、（ａ）は可搬式給油装置の使用状態を示す一部断面図、（ｂ）は給油ノズル及びホースを収納した状態を示す平面図である。
【発明を実施するための形態】
【００１４】
次に、本発明を実施するための形態について図面を参照しながら説明する。
【００１５】
図１は、本発明にかかる可搬式給油装置の一実施の形態を示し、この可搬式給油装置１は、握り部３（３Ａ、３Ｂ）を有し、ドラム缶２０に着脱自在な架台２と、この架台２に設けられ、ドラム缶２０内に貯留された燃料油Ｆを車輌３０に給油する給油機構４とを備える。
【００１６】
架台２は、平面視円形の板状に形成され、上面縁部に一対の握り部３を備える。握り部３は、架台２の上面から上方に突出し、上部で互いに離間する方向に曲折する棒状に形成される。
【００１７】
架台２には、一対のロック機構５（５Ａ、５Ｂ）が設けられ、ロック機構５を矢印方向に回動させることで、架台２をドラム缶２０の上縁部に係止又は係止状態を解除することができる。
【００１８】
給油機構４は、ドラム缶２０内の燃料油Ｆを汲み上げるための手動ポンプ７と、手動ポンプ７で汲み上げられた燃料油Ｆを計量する計量升８と、計量升８で計量された燃料油Ｆを車輌３０に給油するための給油ノズル９等を備える。
【００１９】
手動ポンプ７は、下部にホースカップリング１０を備え、ホースカップリング１０に吸込ホース１１が接続され、吸込ホース１１の下端がドラム缶２０の底面に達する。ホースカップリング１０を設けることで、手動ポンプ７に吸込ホース１１を容易に接続することができる。
【００２０】
手動ポンプ７には、燃料油Ｆを汲み上げるためのハンドル１２が設けられ、ハンドル１２を回転させることで、手動ポンプ７の内部の汲上機構（不図示）によって燃料油Ｆが吸込ホース１１、ホースカップリング１０及び吐出管１３を経由して計量升８に導かれる。
【００２１】
計量升８は、架台２の上に固定され、２０リットル程度の容量を有する。計量升８は、透明又は半透明の容器として形成され、表面には目盛りが設けられ、計量升８に収容された燃料油Ｆを計量することができる。計量升８の上部に手動ポンプ７の吐出管１３が導入されると共に、計量升８より溢れた燃料油Ｆをドラム缶２０へ戻すため戻り部８ａが備えられる。計量升８の下部には、給油ホース１４の一端が接続される。給油ホース１４の他端は、給油ノズル９に接続され、給油ノズル９のレバー９ａを引くと計量升８内の燃料油Ｆが重力落下にて車輌３０へ給油されるように構成される。
【００２２】
次に、上記構成を有する可搬式給油装置１の動作について、図面を参照しながら詳細に説明する。
【００２３】
図１（ｂ）に示す給油ホース１４及び給油ノズル９の収納状態では、給油ホース１４が架台２の周縁部に巻回され、握り部３（３Ａ、３Ｂ）に挟持された状態で架台２上に載置され、給油ノズル９は、架台２の上に立設されたピン１５によって係止されている。このように、給油をしていない時には、可搬式給油装置１をドラム缶２０の上にコンパクトに載置することができる。
【００２４】
車輌３０に給油を行う際には、給油ノズル９を架台２の上方に持ち上げると共に、握り部３による給油ホース１４の挟持を解除し、給油ホース１４を引き延ばし、給油ノズル９の吐出パイプ９ｂを車輌３０の給油タンクの給油口に挿入する。
【００２５】
次に、手動ポンプ７のハンドル１２を回転させ、ドラム缶２０内の燃料油Ｆを汲み上げ、所定の量の燃料油Ｆを吸込ホース１１、ホースカップリング１０及び吐出管１３を介して計量升８に導入する。この際、計量升８に導入された燃料油Ｆの量を、計量升８に記載された目盛りにより計測することができる。計量升８より燃料油Ｆが溢れた場合でも、溢れた燃料油Ｆを戻り部８ａよりドラム缶２０へ戻すことができる。
【００２６】
次いで、給油ノズル９のレバー９ａを引くと計量升８内に計量された所定量の燃料油Ｆが重力落下にて車輌３０へ給油され、給油動作が完了する。
【００２７】
ドラム缶２０が空になった場合には、別のドラム缶２０に可搬式給油装置１全体を移動させる。その際、架台２に握り部３を備えることで、移設の際に、ドラム缶２０からの分離及び装着作業を容易に行うことができる。
【００２８】
尚、上記実施の形態では、ドラム缶２０内の所定量の燃料油Ｆを計量升８に汲み上げ、そのまま給油ノズル９のレバー９ａを引いて車輌３０へ給油したが、予め計量升８に燃料油Ｆを入れておくことで、車輌３０への給油の際に手動ポンプ７のハンドル１２を回転させずに即座に計量升８から車輌３０へ給油することができ、給油に関わる時間を短縮することができる。
【００２９】
また、上記実施の形態では、手動ポンプ７を設けることで、電力を使用しないで給油を行うことができ、災害時でも給油を継続することができるが、災害時の使用等を考慮しなければ、手動ポンプ７に代えて自動ポンプを設置することも可能である。
【符号の説明】
【００３０】
１  可搬式給油装置
２  架台
３（３Ａ、３Ｂ）  握り部
４  給油機構
５（５Ａ、５Ｂ）  ロック機構
７  手動ポンプ
８  計量升
８ａ  戻り部
９  給油ノズル
９ａ  レバー
９ｂ  吐出パイプ
１０  ホースカップリング
１１  吸込ホース
１２  ハンドル
１３  吐出管
１４  給油ホース
１５  ピン
２０  ドラム缶
３０  車輌
【図１】
0005776895.tif 000002